(57)【要約】【課題】大きめの花瓶でも、花を一輪または少数本の花を自立補助していけることができる一輪挿用花瓶のほか、少数本用の花瓶として、さらに多数本の花を安定した状態で生けることができる多数本用の花瓶として使用することができる多目的用の花瓶を提供する。【解決手段】ラッパ状に上方に拡がっている口部２と下方にスカート状に広がっている胴部３と、口部２と胴部３の境界部４の内側の周囲に設けられた第一花留め部５と、該第一花留め部５に囲繞され、かつこれと連通している第二花留め部６とから成っている多目的用の花瓶。【選択図】  図１
2004242962.tif 000002
【特許請求の範囲】
【請求項１】
多数本の花を活けることができる花瓶の内周に適当な間隔を置いて複数個の凸部を設け、それらの凸部の間が少なくとも１本の花を保持することが可能な花留め部を形成している多目的用花瓶。
【請求項２】
前記花留め部が花瓶の周囲に複数個所設けられ、それらの花留め部同士が平面方向から見て連続的に設けられている請求項１記載の多目的用花瓶。
【請求項３】
前記凸部の先部同士の間に花を保持することができる第二花留め部を形成している請求項２記載の多目的用花瓶
【請求項４】
前記花留め部が縦方向の溝によって形成されている請求項１、２または３記載の多目的用花瓶。
【請求項５】
前記花留め部の凸部が上下方向に段階的に設けられている請求項１、２または３記載の多目的用花瓶。
【請求項６】
前記花留め部の凸部が上下方向に段階的に設けられ、かつ凸部の先部が平面方向から見て重なり合っている請求項１記載の多目的用花瓶。
【請求項７】
前記凸部が３個以上設けられ、それらの先部を相互にずらして重ね合わせることにより花を保持することができる第二花留め部を形成している請求６記載の多目的用花瓶
【発明の詳細な説明】
【０００１】
【発明の属する技術分野】
本発明は花が花瓶の中で自立できるよう補助することができる花瓶に関する。さらに詳しくは、花が花瓶の口部にもたれかかるようにして生けられるのではなく、花瓶の中で自立できるよう補助することができる花瓶に関する。
【０００２】
【従来の技術】
一般に、大きめの花瓶は余裕をもって水を確保することができるので、花を長持ちさせることができ、また花の本数に拘わらず生けることができるので、非常に重宝されている。しかし、大きめの花瓶のほとんどは口径が広いため、一輪挿しあるいは少数の本数の花を生ける場合は、花が花瓶の中で倒れるように口部の周縁にもたれかかり、非常に悪体裁の状態なってしまっている。また花は安定感がないため、風や振動によって口部の周縁を揺れ動いたり、時に花同士がぶつかり合うなどして早期に痛むに至っている。
一方、一輪挿し用の花瓶あるいは少数の花を生ける専用の花瓶は花を自立させた状態で生けることが可能であるが、生ける花の本数によってその都度花瓶を交換しなければならないといった不便さがあった。
【０００３】
【発明が解決しようとする課題】
前述のとおりそれ相当の本数を収容することができる大きめの花瓶は、いわゆる万能花瓶として非常に便利である。本発明の花瓶はこうした大きめの花瓶の利点を生かして上記の諸問題を解消した多目的花瓶を提供することを技術的課題としている。つまり本発明は花を一輪または少数本だけ生けるときには花を自立補助することができる一輪挿用花瓶として、またある程度の本数の花を花瓶に生けるときには花を束状にまとめて自立することができる少数本用の花瓶として、さらに多数本の花を安定した状態で生けることができる多数本用の花瓶として使用することができる多目的用の花瓶を提供することを技術課題としている。
【０００４】
【課題を解決するための手段】
本発明の花瓶（請求項１）は、多数本の花を活けることができる花瓶の内周に適当な間隔を置いて複数個の凸部を設け、それらの凸部の間が少なくとも１本の花を保持することが可能な花留め部を形成していることを特徴としている。このような花留め部は花瓶の周囲に複数箇所設けられ、それらの花留め部同士が平面方向から見て連続的に設けられているのが好ましい（請求項２）。さらに前記凸部の先部同士の間に花を保持することができる第二花留め部を形成しているのが一層、好ましい（請求項３）。また花留め部が縦方向の溝によって形成されているのが好ましい（請求項４）。また前記花留め部の凸部が上下方向に段階的に設けられているのが好ましい（請求項５）。さらに前記花留め部の凸部が上下方向に段階的に設けられ、かつ凸部の先部が平面方向から見て重ね合っているのが好ましい（請求項６）。また前記凸部が３個以上設けられ、それらの先部を相互にずらして重ね合わせることにより形成される花を保持することができる第二花留め部を形成している花瓶は一層好ましい（請求項７）。
【０００５】
【作用および発明の効果】
本発明の多目的用花瓶は（請求項１）は、花瓶の内周に適当な間隔を置いて設けられた複数個の凸部の間によって花を保持することが可能な花留め部を形成している。つまり本発明の多目的用花瓶は花を生ける場所として少なくとも１本の花を保持することができる花留め部と花を保持することができない部分とに区分されている。したがって従来の多数本の花を活けることができる花瓶は花一輪を挿したときに花の自立を補助するものが何も無かったので、花が簡単に口部の周縁に倒れてしまっていたのが、本発明の多目的用花瓶はこの中に花留め部を有しているから、この花留め部を一輪挿し専用花瓶の口部と同じように小さく形成しておくことによって、花の茎は常に花留め部の内周に接触あるいは接触可能な状態にして花の自立が補助され、花が花瓶の口部へもたれかかるのを防止可能にした。
【０００６】
また、花留め部は花瓶の口部や空洞を花留め部の内側と外側とに仕切っており、花留め部の外側にも花を生けることができる。したがって花の量が大型の花瓶の口部に一杯入るほどではなく、かつ花留め部の内側に生けるにはあふれてしまう場合、花は花留め部以外の場所に生けることができるから、大型花瓶であっても花を安定させて生けることができる。
【０００７】
さらに本発明の花瓶の中は花留め部とそれ以外の場所の両方に花を別々に生けることができ、また花留め部に生けられた花の状態は崩れたりすることなく安定状態を保持することができるので、多量の花を生ける場合は先ず花留め部に花の一部を飾りつけた後、花留め部以外に残りの花を飾り付ければ、先に生けた花が途中で崩れてしまうことはなく、多量の花を迅速美麗に生けることが可能となる。
【０００８】
また前記花留め部が花瓶の周囲に複数箇所設けられている場合（請求項２）、花瓶の内部はさらに細かく仕切られる。したがってそれぞれの花留め部の大きさに大小の変化をつけておけば、花が自立可能な一輪挿し用の花瓶として、また少量の花を周囲から支持して自立可能な少量用花瓶として、また多量の花を飾り付ける花瓶として多目的に使用することが一つの花瓶で奏成可能となる。
【０００９】
また前記花留め部を形成する凸部の先部と先部との間が第二花留め部を形成している花瓶の場合（請求項３）、第二花留め部は花瓶の周縁より離れた中央の位置にあるので、第二花留め部に生けられた花は花瓶の中央に位置した状態で自立が補助される。したがって大きめの花瓶であっても花は花瓶の中央で自立し、また口部にもたれかかるようなことは防止されているから、花瓶の中央で自立する一輪挿し用の花瓶として使用することができる。また当該第二花留め部に少数本の花を生ける場合も、花瓶の中央で自立させることができるから、少数本用の花瓶として使用することができる。また本来の花留め部、第二花留め部およびこれら以外の場所のすべてに花を生けることができるから多数本の花を生ける大きめの花瓶として、一つの花瓶を多目的に使用することが可能である。
【００１０】
前記花留め部が縦方向の溝によって形成されている花瓶（請求項４）の場合、花留め部に生けられる花の茎は溝に接触し、かつ花留め部の内周に接触することが可能になっているから、花は茎が縦方向と横方向の異方向から支えられるので、一層確実な自立が可能となる。
【００１１】
さらに前記花留め部が前記凸部を上下方向に段階的に設けていることにより形成されている花瓶（請求項５）は、花留め部は異なる高さの異なる方向から設けられた凸部によって形成されているので、一輪あるいは少量の花の茎は長手方向において異なる方向から支持されることが可能になった。つまり花の茎は斜交い状の凸部と凸部に支持されるので、茎の上下方向を異なる高さ、または異なる方向から支持するようにしている。したがって花の茎を高さ方向で広範囲に支持することができるから、長い丈の花の茎を支持するのには極めて有効である。また本発明の花留め部の凸部と凸部の位置は離すほど茎の支持範囲が伸びるから、長身の花瓶にこの発明の花留め部を有している場合、この中に生けられる長身の花は茎の高さ方向が広範囲で支持されるので、花瓶の中で転倒したりすることが防止されて安定した状態で生けられることになる。
【００１２】
さらに前記花留め部の凸部の先部と先部との間が花を保持することができる第二花留め部を形成している場合、第二花留め部に生けられる花の茎は花留め部の凸部の先部によって高さ方向と周り方向から支持されるから、花留め部の数が３個以上あれば花留め部よりも一層の自立を可能にすることになる。
【００１３】
前記凸部の先部が平面方向から見て重なり合っている場合（請求項６）、花留め部の平面形状は環状に形成されていると共に花瓶の中は花留め部によって確実に仕切られた状態になっている。つまり花留め部に生けられた花はこれより隣接する花留め部へ移動することは確実に防止された状態になっている。したがって、一輪の花あるいは少量の花を花留め部に生ける場合、どの花留め部に挿入してもその花の茎の周りは花留め部に完全に囲繞されるので、それらの花は確実に自立するかあるいは自立補助せられるので、安心して使用することができる。また花留め部の数が増えれば増えるほど、花留め部の大きさは小さくなるので、花の自立補助は一層効果的となる。また多量の花を生ける場合、多量の花はそれぞれの花留め部において確実に自立あるいは自立補助されるので、非常に安定した状態の生け花を提供することができる。
【００１４】
前記凸部の先部を相互にずらして重ね合わせることにより中央に形成された孔が第二花留め部である（請求項７）場合、該第二花留め部は花瓶の口部の周縁より離れた位置にあるので、ここに生けられる花は花瓶の周縁から離れた位置において自立し、または自立補助されることが可能になった。さらに茎の自立補助は前記凸部の側面で支持されるが、この支持は茎の高さ方向の高範囲におよぶものであるから、仮に花瓶がどんなに大きくても、花は極めて安定した状態で生けることができるようになった。
なお、本願発明でいう花は花瓶に生ける木も含むものとする。
【００１５】
【発明の実施の形態】
図１ａ、図２ａ、図３ａはそれぞれ本発明の多目的用花瓶の実施形態の斜面図（ただし一部切り欠きしている。）、図４ａはその他の実施形態の正面図（ただし一部切り欠きしている。）、図１ｂ、図２ｂ、図３ｂ、図４ｂは図１ａ、図２ａ、図３ａ、図４ａのそれぞれの口部の平面図、図３ｃは図３ｂの変形パターン図である。
【００１６】
図１ａの実施形態の多目的用花瓶１（以下花瓶と称している。）はラッパ状に上方に拡がっている口部２と下方にスカート状に広がっている胴部３と、口部２と胴部３の境界部４の内側の周囲に設けられた第一花留め部５と、該第一花留め部５に囲繞され、かつこれと連通している第二花留め部６とから成っている。なお境界部４の外周は口部２上端の外周よりも小さく、かつ内側に位置している。
【００１７】
さらに詳しくは図１ａおよび図１ｂに示す第一の実施形態の花瓶１の第一花留め部５は、製造段階において前記境界部４の外側面を適当な間隔を開けて内側に押圧することによって内面に形成された凹部で、この凹部の底はＵ字状に丸みを帯びている。第一花留め部は境界部４の周囲に連続形成されているが、第一花留め部の隣接部は前記隣接する凹部７の上端同士の間が凸面に形成されている支持部８を介してつながっている。こうして花瓶の内面に環状に形成された第一花留め部の中央には第二花留め部６である孔９が形成されている。
したがって第一花留め部５はここに生けられた一輪の花あるいは茎が細い数本の花の周囲を接触あるいは接近した状態で囲んで花を自立補助することができるから、口の大きい花瓶であっても、前者は恰も自力で立っているように外見することが可能になった。また後者は数本の花を第一花留め部が一まとめにする紐帯的な作用をするので、花は束状で自立することが可能になった。
【００１８】
一方、第二花留め部６はここに生けられた一輪の花の茎の表面あるいは束状の花の茎の周囲が支持部８に部分的に接触することによって、花は自立することが補助される。また第二花留め部６はほぼ花瓶１の中央に位置しているので、第二花留め部６に生けられた一輪の花あるいは束状の花は口の大きい花瓶であっても、花瓶のほぼ中央にて自立することが可能になった。
このように第一花留め部５と第二花留め部６は個別的に花を自立補助し、かつ安定した生け花を確保するが、さらに両者は連通しているので、第一花留め部５と第二花留め部６を一体とした大きめの花留め部として使用することもできる。
【００１９】
第一花留め部の形状についてさらに詳述する。図１ｂに示すように各第一花留め部５ａ、５ｂ、５ｃのうち、第一花留め部５ａの形状はΩ形になっていて第二花留め部６との間がくびれている。したがって第一花留め部５ａに生けられた花の幅が前記くびれ部の幅よりも大きい場合、花は連通している第二花留め部６へ移動することは防止されるから、第一花留め部５ａの中で自立することが可能となる。また花が少し傾いても口部２の周縁に接触することはないので、花瓶の中で自立しているように外観される。
【００２０】
第一花留め部５ｂの内周は他のものより大きさが大きくなっており、かつ口部は前記第一花留め部５と同じようにΩ形になっているので、少数本の花を自立させると共にそれらの花が該場所から移動しないで安定した生け花を呈することを可能にした。また第一花留め部５ｃは、その口部は第二花留め部６との境界がくびれておらず、第二花留め部６と一体になって長円形状の大型の花留め部として使用可能にしている。この場合、第二花留め部６にはこの内周に接触可能な太めの茎の花あるいは束状にした花を挿入することによって、第一花留め部５ｃに生けられる花は他の第一花留め部５ａ、５ｃへ移動することが防止され、また前記第一花留め部５ａ、５ｂと同じように第一花留め部５ｃによって自立補助されて、安定した生け花を呈することを可能にした。
【００２１】
第一花留め部５は上記のように花瓶１の中にいろんな大きさや形を形成することによって一輪挿し用、少数本あるいは多数本用の花瓶として多目的に使用することが可能になったので、花の量によってあるいは生け方によって花瓶をわざわざ目的別に交換しなくても花を自立補助して美しく飾りつけることを可能にした。
さらに花瓶は多数本の花を生けるための水量を確保できるものであるから、一輪挿し用の花瓶として使用する場合でもたっぷりの水の中で花を生けることができるから、一輪挿し専用の花瓶にありがちな水枯れは防止可能となった。
花瓶１の用途は花が傾いて口部の周縁にもたれかかることなく、自立あるいは自立補助させる以外に、球根の水耕栽培用の花瓶としても使用することができる。つまり花瓶の口部２はラッパ状に広がり、その下部は第一花留め部５および第二花留め部６による孔が形成されているので、第一花留め部および第二花留め部の上面は球根を乗せる台座として使用し、また孔は球根の根が胴部に伸びる貫通孔として使用することができる。したがって上記第一花留め部および第二花留め部によってなる台座には大きめの球根は勿論のこと、小さめの球根も乗せることができるので、従来の水耕栽培用の花瓶のように円形の孔から小さな球根が胴部へ落下するようなことは防止されている。さらにこの実施形態の花瓶は従来の水耕栽培の実用性のみの花瓶とは異なり意匠性にも優れている。
【００２２】
図２ａおよび図２ｂに示す第二の実施形態の花瓶１１は基本的には第一の実施形態とほとんど同じであるが、花瓶１１の基本的形状が有底円筒形になっていること、第一花留め部１５が溝状に形成されている点が大きく異なっている。また支持部１８は平面方向から見たとき、隣接する第一花留め部の先端が線状につながるように形成されている。第二花留め部１６は前記実施形態同様、第一花留め部と平面上で連通し、かつ支持部１８によってその外周が形成されている。
さらに詳しくは花瓶１１は、胴部の外側面が三角柱の傾斜面に挟まれた一辺が凸湾形成され、かつ逆Ｓ字形に湾曲している型材によって、内向きにかつ適当な間隔を設けて押圧されることによって、胴部の内側面に第一花留め部１５である溝状凹部１７が形成されている。また溝状凹部１７の隣接部には前記隣接する溝状凹部１７の上端同士の間が凸面２０に形成され、またその凸面２０の先端は花瓶を平面から見たときに線状の支持部１８を介してつながっている。こうして花瓶の内面に環状に形成された第一花留め部の中央には孔９が形成され，かつその孔の外周は前記線状の支持部によって囲まれた第二花留め部１６が形成されている。
溝状凹部１７の底はＵ字状に形成され、かつその底は花瓶１１の周壁２１と面一になっている。したがって第一花留め部１５に生けられる一輪の花あるいは少数本の花は、高さ方向はその茎が溝状凹部１７のＵ字状の底および周壁２１に近接あるいは接近し、また横方向は第一花留め部１５の内周に近接あるいは接近しているから、縦方向と横方向の二方向から転倒しないように自立補助されて、一層安定した生け花を呈することが可能になった。また花が花瓶の中で大きく傾斜して、口部の周縁にもたれかかることは防止されている。
次に第二花留め部１６の支持部１８は図２ｂに示すように平面方向からは線状に外見されているが、正面からはカタカナの「ノ」の字の形になっている。したがって第二花留め部１６に生けられる花の茎の周りは前記の第一実施形態のように点状に接触するのではなくて線状に接触するから、本実施形態の第二花留め部に生けられた花は一層安定感を増した状態で自立するか、あるいは自立補助されることが可能になった。
なお、この実施形態においても、凸部２０の上方が胴部の側壁で囲まれているから、この上に球根を乗せて球根を水耕栽培することができ、小さな球根でも下に落下することなく栽培できる。また球根の根は孔１９を貫通して胴部に伸びることができる。
【００２３】
図３ａに示す第三の実施形態の花瓶２１は有底円筒型になっている。この花瓶２１の第一花留め部２２は胴部２３の中間部あるいはこれよりも少し上方のところの内面に三つの突起２４、２５、２６を上下方向にずらし、かつそれぞれ異なる方向から花瓶の中心に向けて設け、さらにその先部が図３ｂに示すように平面から見て重ね合わさることにより独立したスペースに形成されている。したがって第一花留め部２２の大きさは大中小という具合に変化させておくことで花一輪からそれ相当の量の花を独立したスペースで自立補助させることができる。
【００２４】
第一花留め部についてさらに詳述する。図３ｂに示すように第一花留め部２２ａに生けられた一輪の花は花瓶２１の胴部２３ａの内面と斜交い状の突起２４、２５のそれぞれの側面によって一輪花の茎を自立補助することを可能にしている。また第一花留め部２２ｂは胴部２３ｂの内面と斜交い状の突起２５、２６のそれぞれの側面によって少数本の花を自立補助することを可能にしている。さらに第一花留め部２２ｃは胴部２３ｃと斜交い状の突起２６、２４のそれぞれの側面によってそれ相当の多量の本数の花を自立補助することを可能にしている。
この実施形態では第一花留め部２２によって花瓶の中は図３ｂに示すように独立したスペースを確保しているので、一旦、第一花留め部に収納された花は他の花留め部へ移動することは無いので、安心して花を生けることができる。また花の茎を斜交い状に支持することができるので、花瓶が長尺の場合でも、花は安定した状態で自立補助されることを可能にした。さらに図面に示すように胴部１３の側壁が垂直状になっているので、花の茎は高さ方向でも支持されるので、第一花留め部において一層安定状態を確保することができる。
【００２５】
また図３ｃに示すように前記実施形態の変形タイプの花瓶３１は、突起３４、３５、３６、３７のそれぞれの先部が相互にずれて重なり合うことによって形成される孔３８が第二花留め部３９になっている。この第二花留め部３９は花瓶３１の口部３２の周縁から離れており、また花瓶３１のほぼ中央に位置しているので、花が口部の周縁にもたれかかることは確実に防止されている。さらに第二花留め部３９に生けられた花は茎の表面が４つの突起３４、３５、３６、３７の側面によって段階的に支持され、また自立補助されるから非常に安定感が良い。
なお、図面符号の３２は第一花留め部である。
【００２６】
さらに図４ａ及び図４ｂに示す第四の実施形態の花瓶４１は、前記第一実施形態と第三の実施形態がミックスされた花瓶４１で、胴部４３の中間部あるいはこれよりも少し上方のところの内面に三つの突起４４、４５、４６が同一平面上に、それぞれ異なる方向から花瓶の中心に向けて伸びている。またそれぞれの先部は接触しないで、花瓶の中央に孔４９を形成している。第一花留め部４７は前記突起の間に形成された底がＵ字状の凹部からなり、また第二花留め部４８は孔４９からなっている。第一花留め部４７は前記実施形態のように大きさに変化をつけてもよいしまた同じでもよい。第二花留め部４８は一輪挿しの花の茎の周囲が異なる方向から支持されるので、花瓶の中心で転倒することが防止されている。第一花留め部４７においては第一実施形態のΩ型の花留め部の形状と同様、第一花留め部に生けられた花、あるいは数本の花は第一花留め部の内周が接触あるいは接近しているので、転倒防止可能になっている。さらに当該花瓶は第一花留め部４５が同一平面上にあり、また第一花留め部は突起形状であるから、これまでの実施形態のどれよりも第一花留め部の表面は緩やかな凹面に形成されている。したがって水耕栽培用の花瓶として第一花留め部の表面に球根を安定した状態で乗せることができる。
【００２７】
以上全実施形態について、第一花留め部及び第二花留め部は花の茎の表面に接触、あるいは近接して自立を補助しているから、茎の下端は特に傷つけられるものではない。したがってこれまでの自立補助として使用されていた剣山のように茎の下部が損傷して、花のもちが悪くなるようなことは全くないので、水揚げは極めて良好で、花持ちが非常に良くなる。全実施形態の第一花留め部および第二花留め部を形成する凸部あるいは突起を設ける位置は上記に限定されるものではない。例えば花の茎の下部または下半身を支持して自立補助することも可能である。これは花の種類や花瓶の大きさによって適宜変更すればよい。
【００２８】
また前記実施形態の凸部あるいは突起部は当該の外側面が凹んで形成されているので、花瓶を持ち運びする時にその凹所に指先がかかってストッパー作用をする。したがって花瓶をすべり落としたりすることが防止されている。また花瓶がガラス器で無色透明であるばあい、上記凸部及び突起がガラス越しに外見できるので、斬新なデザインを楽しむことができる。また前記凸部あるいは突起部の形成方法とは異なる方法として、花瓶の内面に凸部及び突起を接着して設けることも可能である。特にその凸部および突起物が有色である場合、一層華やかなデザインを呈することになる。
【図面の簡単な説明】
【図１】図１ａは本発明の実施形態の斜面図、図１ｂは図１ａの口部平面図である。
【図２】図２ａは本発明の実施形態の斜面図、図２ｂは図２ａの口部平面図である。
【図３】図３ａは本発明の実施形態の斜面図、図３ｂは図３ａの口部平面図、図３ｃは図３ｂの変形図である。
である。
【図４】図４ａは本発明の実施形態の正面、図４ｂは図４ａの口部平面図である。
【符号の説明】
１  花瓶
２  口部
３  胴部
４  境界部
５  第一花留め部
６  第二花留め部
７  凹部
８  支持部
９  孔
１１  花瓶
１５  第一花留め部
１６  第二花留め部
１７  溝状凹部
１８  支持部
１９  凹部
２０  凸部
２１  花瓶
２２  第一花留め部
２３  胴部
２３ａ  胴部の内面
２３ｂ  胴部の内面
２３ｃ  胴部の内面
２４  突起
２５  突起
２６  突起
３１  花瓶
３２  口部
３３  突起
３４  突起
３５  突起
３６  突起
３７  突起
３８  孔
３９  第二花留め部
４１  花瓶
４３  胴部
４４  突起
４５  突起
４６  突起
４７  第一花留め部
４８  第二花留め部
４９  孔
【図１】
2004242962.tif 000003
【図２】
2004242962.tif 000004
【図３】
2004242962.tif 000005
【図４】
2004242962.tif 000006